(57)【要約】【課題】記録媒体に記録された記録映像だけでなく、テレビ放送を受信した受信映像とを切り換えて出力する映像再生装置において、停止状態から再生への処理を高速化し、利便性のよい映像再生装置を得ることを目的とする。【解決手段】本発明では、記録媒体に記録された記録映像と、テレビ放送を受信した受信映像と、を切り換えて出力する映像再生装置１において、静止画像を記憶する記憶部７と、ユーザによる操作を行う操作部５と、を有し、前記記録映像の再生中に前記操作部５より停止の指示があった際に、前記記録映像の再生を一時停止して、前記静止画像を出力するとともに、その後、前記操作部より再生の指示があった際に、一時停止を解除して、前記記録映像を出力する。【選択図】図１
2012105002.tif 000002
【特許請求の範囲】
【請求項１】
記録媒体に記録された記録映像と、テレビ放送を受信した受信映像と、を切り換えて出力する映像再生装置において、
静止画像を記憶する記憶部と、
ユーザによる操作を行う操作部と、
を有し、
前記記録映像の再生中に前記操作部より停止の指示があった際に、
前記記録映像の再生を一時停止して、前記静止画像を出力するとともに、
その後、前記操作部より再生の指示があった際に、一時停止を解除して、前記記録映像を出力することを特徴とする映像再生装置。
【請求項２】
前記記録映像の再生の一時停止後、前記操作部より、再度の停止指示があった際に、
前記受信映像に切り換えて出力することを特徴する請求項１に記載の映像再生装置。
【請求項３】
前記記録映像の再生及び前記受信映像のテレビ放送からの出力を受け付けるＡＶデコーダを備え、
前記ＡＶデコーダは、前記記録映像の再生の一時停止までは前記記録映像の再生からの出力を受け付け、
再度の停止指示があった際に、前記受信映像のテレビ放送からの出力を受け付けることを特徴とする請求項１又は２に記載の映像再生装置。
【請求項４】
前記静止画像は停止の記録映像よりも、前面へ表示するように出力することを特徴とする請求項１〜３のいずれかに記載の映像再生装置。
【請求項５】
前記記録映像の再生の一時停止をレジューム停止とし、その後、前記操作部より再生の指示があった再生は、レジューム再生とすることを特徴とする請求項１〜４のいずれかに記載の映像再生装置。
【発明の詳細な説明】
【技術分野】
【０００１】
本発明は映像再生装置に関する。
【背景技術】
【０００２】
近年、ユーザの嗜好性にあうコンテンツを、大容量のＤＶＤやハードディスクへ録画し、動画などの映像を再生する再生装置が利用されるようになってきた。そしてこれらの再生装置では、前回再生が停止された位置から、コンテンツの再生を開始する再生装置が利用されている。
【０００３】
ここで、従来の再生装置においては、再生の後の停止状態では、製造メーカのロゴマークなどの簡単な絵柄であることが多く、表示装置に表示させておくには単純で、映像として楽しむことができるものとはなっていない。このため、停止状態における表示装置における表示が物足りなく感じられていた。
【０００４】
このため、再生装置の再生の停止状態において、ユーザの好みの画像を表示する技術が開示されている（特許文献１）。
【０００５】
また、利便性を向上するために、停止状態から再生への処理を高速化する技術が開示されている（特許文献２）。
【先行技術文献】
【特許文献】
【０００６】
【特許文献１】実用新案登録第３０９６０８７号
【特許文献２】特開２００５−２９３７８４号
【発明の概要】
【発明が解決しようとする課題】
【０００７】
しかしながら、上記特許文献１記載の技術では、再生の停止状態にはユーザの嗜好性にあった画像は表示されるが、停止状態から再生への処理を高速化する技術は開示されていない。
【０００８】
一方、特許文献２では、停止状態から再生への処理の高速化を行うが、装置内に高速化するための特別なメモリを別途設ける必要がある。
【０００９】
さらに、再生装置は記録媒体に記録された記録映像だけでなく、テレビ放送を受信した受信映像を切り換えて出力する再生装置も同時に求められている。
【００１０】
本発明は、上述した課題を解決するものであって、その目的とするところは、記録媒体に記録された記録映像だけでなく、テレビ放送を受信した受信映像とを切り換えて出力する映像再生装置において、停止状態から再生への処理を高速化し、利便性のよい映像再生装置を提供することである。
【課題を解決するための手段】
【００１１】
上記課題を解決するために、本発明に係る映像再生装置は、記録媒体に記録された記録映像と、テレビ放送を受信した受信映像と、を切り換えて出力する映像再生装置において、静止画像を記憶する記憶部と、ユーザによる操作を行う操作部と、を有し、前記記録映像の再生中に前記操作部より停止の指示があった際に、前記記録映像の再生を一時停止して、前記静止画像を出力するとともに、その後、前記操作部より再生の指示があった際に、一時停止を解除して、前記記録映像を出力することを特徴する。
【００１２】
この構成によると、映像再生装置は、ユーザの操作によって、前記記録映像の再生中に前記操作部より停止の指示があった際に、前記記録映像の再生を一時停止して、前記静止画像を出力する。そして、前記操作部より再生の指示があった際には、一時停止を解除して、前記記録映像を出力する。
【００１３】
このため、記録媒体に記録された記録映像だけでなく、テレビ放送を受信した受信映像とを切り換えて出力する映像再生装置において、停止状態から再生への処理を高速化し、利便性のよい映像再生装置を提供できる。
【００１４】
また、本発明に係る映像再生装置は、前記記録映像の再生の一時停止後、前記操作部より、再度の停止指示があった際に、前記受信映像に切り換えて出力することを特徴する。
【００１５】
この構成によると、再度の停止指示があった際に、前記受信映像に切り換えて出力するため、記録媒体に記録された記録映像と、テレビ放送を受信した受信映像と、を切り換えて出力する可能となる。一つの装置によって切り替えができ、利便性のよい映像再生装置を提供することができる。
【００１６】
また、本発明に係る映像再生装置は、前記記録映像の再生及び前記受信映像のテレビ放送からの出力を受け付けるＡＶデコーダを備え、前記ＡＶデコーダは、前記記録映像の再生の一時停止までは前記記録映像の再生からの出力を受け付け、再度の停止指示があった際に、前記受信映像のテレビ放送からの出力を受け付けることを特徴とする。
【００１７】
この構成によると、前記ＡＶデコーダは、前記記録映像の再生の一時停止までは前記記録映像の再生からの出力を受け付け、再度の停止指示があった際に、前記受信映像のテレビ放送からの出力を受け付ける。ＡＶデコーダの動作切り替えには時間がかかるが、上記のような構成であれば、一時停止から再生への処理は高速化できる。
【００１８】
また、本発明に係る映像再生装置は、前記静止画像は停止の記録映像よりも、前面へ表示するように出力する。
【００１９】
この構成によると、前記静止画像は停止の記録映像よりも、前面へ表示するように出力する。前面へ表示するだけの処理のため、処理が簡便化されるとともに、利便性が向上する。
【００２０】
また、本発明に係る映像再生装置は、前記記録映像の再生の一時停止をレジューム停止とし、その後、前記操作部より再生の指示があった再生は、レジューム再生とすることを特徴とする。
【００２１】
この構成によると、映像再生装置は、前記記録映像の再生の一時停止をレジューム停止となり、その後、前記操作部より再生の指示があった再生は、レジューム再生となる。ここで、レジューム停止とは、ユーザが映像再生装置を一時停止した場合、システムのワークエリア状態、アプリケーションの実行状態、ファイルのアクセス状況などの作業状態を保持することで、レジューム再生とは、その後の再生の指示があった再生時に、保持された作業状態をＣＰＵが読み込むことによって、自動的に一時停止直前の状態を再現するものである。このようにレジューム停止及びレジューム再生を用いているため、切り替えの処理が高速となる。
【発明の効果】
【００２２】
本発明によると、映像再生装置は、記録媒体に記録された記録映像だけでなく、テレビ放送を受信した受信映像とを切り換えて出力する映像再生装置において、停止状態から再生への処理を高速化し、利便性のよい映像再生装置を提供できる。
【図面の簡単な説明】
【００２３】
【図１】本発明に係る映像再生装置を用いたシステムの説明図である。
【図２】本発明に係る映像再生装置の機能ブロック図である。
【図３】本発明に係る映像再生装置の動作を示すフローチャートである。
【図４】本発明に係る映像再生装置の記録映像を示す図である。
【図５】本発明に係る映像再生装置の静止画像を示す図である。
【図６】本発明に係る映像再生装置の記録映像及び静止画像の重なりを示すイメージ図である。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
まず図１を参照しながら、本実施形態に係る映像再生装置１の利用形態について簡単に説明する。
【００２６】
映像再生装置１の一例としては、テレビチューナ付きのハードディスクレコーダ（ＰＶＲ；Ｐｅｒｓｏｎａｌ Ｖｉｄｅｏ Ｒｅｃｏｒｄｅｒ）、セットトップボックス（ＳＴＢ；Ｓｅｔ Ｔｏｐ Ｂｏｘ）などの情報家電等の映像再生装置などが含まれる。もちろん、本実施形態に係る映像再生装置１は、これらの形態に限定されるものではなく、情報処理機能を有する任意の映像再生装置１が対象に含まれる。
【００２７】
図１に示すように、この映像再生装置１の遠隔操作用のリモートコントローラ５Ａが設置されている。尚、図１の例は、ホームネットワークを想定したものである。
【００２８】
ホームネットワークに備えられている機器は、例えば、ＤＬＮＡ（Ｄｉｇｉｔａｌ Ｌｉｖｉｎｇ Ｎｅｔｗｏｒｋ Ａｌｌｉａｎｃｅ）ガイドラインに準拠しており、ＬＡＮ（Ｌｏｃａｌ Ａｒｅａ Ｎｅｔｗｏｒｋ）を介して相互に情報の送受信が可能となっている。
【００２９】
ハブ（ネットワーク中継機と同義）６５は、アンテナ６６を備えており無線通信が可能である。また、このハブ６５は、外部のインターネット通信網や電話回線網などの広域通信網ＮＥＴに回線接続されている。
【００３０】
テレビ受像機６０は、スピーカ及び表示部６１を備えており、映像再生装置１からの出力を受けて映像表示・音声出力を行う。また、テレビ受像機６０はＨＤＭＩ規格であってもよく、この場合、表示部６１に、ＨＤＭＩコネクタおよびＨＤＭＩケーブル６３を介して接続されるようになっている。また、映像再生装置１は、ユーザが所定の操作をすることで、配信用チャネルの番組表を受信し、選択した配信用チャネルのコンテンツを受信する。
【００３１】
映像再生装置１は、アンテナ１０を備えている。また、この映像再生装置１は、後述するように、リモートコントローラ５Ａから無線送信されて、設定変更される。リモートコントローラ５Ａは、映像再生装置１の電源のオン・オフを可能としている。また、映像再生装置１は映像音声データを取り込むためのデジタルメディアプレイヤ（たとえばＤＬＮＡクライアント）を搭載してもよい。
【００３２】
また、映像再生装置１は、例えばＳＤ（Secure Digital）メモリカード、ＭＭＣ（Multimedia Card）及びメモリスティック等の外部記録映像保存部（メモリカード）８１が着脱可能となっている。
【００３３】
さらにまた、映像再生装置１は、外部記録映像保存部（光ディスク）８２が使用可能である。光ディスクには、例えばコンパクトディスク（ＣＤ）、デジタル多用途ディスク（ＤＶＤ）、ブルーレイディスク（ＢＤ）等、複数種類のものが存在する。
【００３４】
また、この映像再生装置１は、ＬＡＮ（Local Area Network）端子２０、ＵＳＢ（Universal Serial Bus）端子２１及びｉ．ＬＩＮＫ端子２２などを備えている。
【００３５】
ＬＡＮ端子２０は、イーサネット（登録商標）を用いた一般的なＬＡＮ対応ポートとして使用されるもので、例えばハブ６５を介して、テレビ受像機６０等の機器を接続し、これらの機器と情報伝送を行うために使用される。情報伝達は有線通信であっても、無線通信であっても可能である。
【００３６】
ＵＳＢ端子２１は、一般的なＵＳＢ対応ポートとしてデータの転送に使用されるものである。ｉ．ＬＩＮＫ（登録商標）端子２２は、例えばデジタル機器とＶＨＳ（Video Home System）等をシリアル接続するもので、これらの機器との間の情報伝送を行なうために使用される。
【００３７】
図２は、映像再生装置１の構成の一例を示す機能ブロック図である。映像再生装置１は、制御部２と、通信部４と、ユーザによる操作を行う操作部５と、一時記憶部（メモリ）６と、記録映像保存部７Ａ及び静止画像保存部７Ｂなどからなる記憶部７と、ＡＶデコーダ８と、混合機９と、出力部１０などからなる。また、制御部２には、ＴＶチューナ制御部２Ａと再生制御部２Ｂとが備えられている。ＴＶチューナ制御部２Ａ及び再生制御部２Ｂの説明は後述する。
【００３８】
制御部２は、図示されていないＣＰＵを有しており、ＣＰＵ上ではＯＳ（オペレーティングシステム）が動作する。制御部２が通信部４や操作部５等のハードウェアをコントロールするときはＯＳに含まれるデバイスドライバが使われる。
【００３９】
アンテナ１０は、複数チャンネルが混在した放送用の電波を受信する。ＴＶチューナ制御部２Ａは、放送用の電波の中からＣＰＵで指定された特定チャンネルを選択し、指定された特定のチャンネルのみをＡＶデコーダ８へ出力する。
【００４０】
再生制御部２Ｂは、ハードディスクなどの記録媒体からなる記録映像保存部７Ａや、外部記録映像保存部（メモリカード）８１や外部記録映像保存部（光ディスク）８２などの外部記録媒体に記録された記録映像の出力を受け付けた後、ＡＶデコーダ８へと出力する。
【００４１】
記憶部７に記録されている記録映像は、関係データベース (Relational Database)という方式によって記憶されていてもよい。例えば、記録映像毎に対してＩＤを付加し、これをプライマリキーとして管理すれば、複数のデータ群が関係（リレーション）と呼ばれる構造で相互連結可能である。関係論理演算を行うことで所望結果を高速に取り出すことができ、これにより効率のよい検索方法が実現できる。
【００４２】
ＡＶデコーダ８は、ＴＶチューナ制御部２Ａ又は再生制御部２Ｂのいずれか一方からの出力を受け付ける。即ち、両方からの同時の出力を受け付けることはできない。このような構成により、映像再生装置１は、記録媒体に記録された記録映像と、テレビ放送を受信した受信映像と、を切り換えて混合機９へと出力する。
【００４３】
本実施形態においては記録媒体に記録された記録映像には、記録映像保存部７Ａと、外部記録映像保存部（メモリカード）８１と、外部記録映像保存部（光ディスク）８２と、からなる。ここで、外部記録映像保存部（メモリカード）８１の記録映像は、他の記録映像保存部よりも優先して再生される。即ち、外部記録映像保存部（メモリカード）８１を映像再生装置１へ装着すれば、他の記録映像保存部が再生されていても、外部記録映像保存部（メモリカード）８１の記録映像が優先して自動再生される構成となっている。
【００４４】
ＡＶデコーダ８は、ＴＶチューナ制御部２Ａ又は再生制御部２Ｂのいずれか一方の出力を受け付けつけて、画像情報を受け取ると、その画像情報を音声（Ａ）と映像（Ｖ）をデコードする。また、このＡＶデコーダ８は、ＭＰＥＧデコーダと、テレビ受像機６０への表示条件情報をＧＵＩ生成するＧＵＩ生成部（不図示）と、により構成されていてもよい。ＭＰＥＧデコーダでは、ＭＰＥＧ規格に対応した多重化を行う。
【００４５】
例えば、復号及び出力（表示）のタイミング基準となるＰＣＲまたはＳＣＲ、復号後の各フレームの出力タイミングを示すＰＴＳ、復号のタイミングを示すＤＴＳを機能してもよい。さらにまた、ＡＶデコーダ８は、画像情報を所定の条件にて画質調整してもよい。
【００４６】
通信部４は、有線ではなく、無線ＬＡＮ用アンテナが接続されていてもよい。また、通信部４は、ネットワークを介してネットワークに接続されている情報装置と通信するために用いられる。さらに、通信部４は、図示されていない組み込みＣＰＵとファームウェアを含んでいる。
【００４７】
操作部５は、ユーザが入力操作を行う操作ボタンや、リモコン５Ａから送られてきた制御信号を受信するリモコン受信部（不図示）を備えている。
【００４８】
一時記憶部（メモリ）６は、映像再生装置１の電源がオンの間にＣＰＵによって生成された映像及び静止画像のデータあるいはＣＰＵに対して与えられたデータを一時的に保持する。
【００４９】
混合機９は、ＡＶデコーダ９からの映像及び音声出力と、静止画像保存部７Ｂからの出力と、を混合して、出力部１０へと出力する。
【００５０】
なお、静止画像保存部７Ｂからの出力はＴＶチューナ制御部２Ａや再生制御部２Ｂなどの映像を制御する制御部を経由しない。即ち、静止画像保存部７Ｂには静止画像が記憶されているために、前記のような映像を制御する必要がないからである。
【００５１】
出力部１０では、グラフィックカードとディスプレイコントローラを含み、混合機９からの出力をアナログ信号に変換して伝送ケーブルを介してテレビ受像機６０に出力する。
【００５２】
また図示しないが、外部記録映像保存部（光ディスク）８２を回転させるスピンドルモータと、外部記録映像保存部（光ディスク）８２に対して情報の書き込み／読み出しを光学的に行う光ピックアップと、この光ピックアップを外部記録映像保存部（光ディスク）８２の半径方向に移動させるためのスレッドと、制御部２の指示に応じて、モータ駆動回路を通じてスピンドルモータ、およびスレッドを駆動すると共に、映像再生装置１に内蔵された対物レンズを動かすことによりレーザ光の焦点位置を外部記録映像保存部（光ディスク）８２の記録面に対して垂直方向および水平方向に移動させる制御を行うサーボ制御部とを備えている。
【００５３】
次に上記のような構成において、映像再生装置１が記録媒体に記録された記録映像と、テレビ放送を受信した受信映像と、を切り換えて出力する動作について図３のフローチャートを用いて説明する。
【００５４】
ステップＳ１では、ユーザが映像再生装置１で記録映像を再生するために、所定の操作を操作部５から行う。所定の操作には関連する機器の電源のオンなどがある。
【００５５】
ステップＳ２では、映像再生装置１から記録映像が再生される。記録映像は、記録映像保存部７Ａや、外部記録映像保存部（メモリカード）８１及び外部記録映像保存部（光ディスク）８２の外部記録媒体のいずれかに記録された記録映像である。再生されている記録映像の再生の一例としては図４のようにＰ１のように人が陸上運動をしている映像（動画）である。
【００５６】
ステップＳ３では、ユーザが操作部５から停止指示をしたか否か判断される。停止指示をした場合にはステップＳ４へ移行し、停止指示をしていない場合（何の指示も無い場合）はステップＳ３へ移行する。
【００５７】
ステップＳ４では、映像再生装置１は記録映像の再生を一時停止して、静止画像保存部７Ｂに記憶されている静止画像を出力する。この場合の一時停止をレジューム停止としてもよい。図５は、静止画像Ｐ２が出力されている一例である。なお、ＡＶデコーダ８は、記録映像Ｐ１の再生の一時停止をしていても、即ち、図５のように静止画像Ｐ２が表示されている状態でも、記録映像の再生からの出力を受け付けている。
【００５８】
図６は、映像再生装置１の記録映像Ｐ１及び静止画像Ｐ２の重なりを示すイメージ図である。静止画像Ｐ２は停止の記録映像Ｐ１よりも、前面へ表示するように出力している。
【００５９】
ステップＳ５では、操作部５から再生指示があるか否か判定される。再生の指示がある場合にはステップＳ２へ移行する。再生の指示がない（何の指示も無い）場合はステップＳ６へ移行する。ＡＶデコーダ８は、記録映像の再生の一時停止までは前記記録映像の再生からの出力を受け付けるため、即ち、ＡＶデコーダ８では記録映像の再生処理は継続しているので、停止状態から再生への処理を高速化することができる。
【００６０】
ステップＳ６では、操作部５から停止指示があるか否か判定される。停止の指示がある場合には、ステップＳ７へ移行し、停止指示が無い（何の指示も無い）場合はステップＳ６へ移行する。
【００６１】
ステップＳ７では、テレビ放送を受信した受信映像が出力される。即ち、記録映像Ｐ１の再生の一時停止後、再度の停止指示があった際に、受信映像に切り換えて出力することになる。このように一つの映像再生装置１において、記録映像Ｐ１から受信映像に切り換えて出力することになるため、映像再生装置１の利便性が向上する。
【００６２】
また、ステップＳ７では再度の停止指示があったので、ＡＶデコーダは、受信映像のテレビ放送からの出力を受け付けることになる。
【００６３】
ステップＳ８では、操作部５から再生指示があるか否か判定される。再生指示がある場合にはステップＳ２へ移行し、再生指示が無い（何の指示も無い）場合はフローチャートを終了する。ステップＳ２へ移行すると、ＡＶデコーダは、受信映像のテレビ放送から、記録映像の再生からの出力を受け付けることになる。
【００６４】
上記のように、本発明では、記録媒体に記録された記録映像と、テレビ放送を受信した受信映像と、を切り換えて出力する映像再生装置１において、静止画像を記憶する記憶部７と、ユーザによる操作を行う操作部５と、を有し、前記記録映像の再生中に前記操作部５より停止の指示があった際に、前記記録映像の再生を一時停止して、前記静止画像を出力するとともに、その後、前記操作部より再生の指示があった際に、一時停止を解除して、前記記録映像を出力する。
【００６５】
このため本発明における映像再生装置１は、記録媒体に記録された記録映像だけでなく、テレビ放送を受信した受信映像とを切り換えて出力する映像再生装置１において、停止状態から再生への処理を高速化し、利便性のよい映像再生装置１を提供できる。
【００６６】
本発明は、上述した実施形態に限定されない。本発明に係る映像再生装置１の各部の具体的な構成は、種々に設計変更可能である。例えば、上記実施形態においては記録媒体に記録された記録映像は、他の記録映像保存部よりも優先して再生されるとしたが、記憶部７に記憶されている記録映像保存部７Ａが優先して再生されてもよい。
【００６７】
また、静止画像保存部７Ｂに記憶されている静止画像をユーザの所定の操作によって、変更し、再生の停止状態にはユーザの嗜好性にあった静止画像を表示させてもよい。これは操作部５を用い制御部２を介して行われる。
【００６８】
さらにまた、ホームネットワークの通信はＬＡＮ環境だけではなく、ＨＤＭＩ（High Definition Multimedia Interface）ケーブルの接続であってもよい。また、無線ＬＡＮの場合、ＩＥＥＥ８０２．１１ａ／ｂ／ｇ又はＩＥＥＥ８０２．１１ｎであってもよく、また非圧縮でデータを送ることができるＷＨＤＩ（Wireless High-Definition Interface）であってもよい。ＡＴＡ（アドバンスド・テクノロジー・アタッチメント）やＢｌｕｅｔｏｏｔｈであってもよい。
【００６９】
また、本発明は、ユーザが所望して、静止画像を出して一時的に記録映像を中止し、再度の再生時にはすぐに記録映像を出力できるものであるが、所望せず、ユーザが誤って停止ボタンを押した際に、すぐに再生へ復旧できるような場面を想定してもよい。
【符号の説明】
【００７０】
１    映像再生装置
２    制御部
２Ａ  ＴＶチューナ制御部
２Ｂ  再生制御部
４    通信部
５    操作部
６    一時記憶部（メモリ）
７    記憶部
７Ａ  記録映像保存部
７Ｂ  静止画像保存部
８    ＡＶデコーダ
９    混合機
１０  出力部
６０  テレビ受像機
６１  表示部
８１  記録映像保存部（メモリカード）
８２  記録映像保存部（光ディスク）
【図１】
2012105002.tif 000003
【図２】
2012105002.tif 000004
【図３】
2012105002.tif 000005
【図４】
2012105002.tif 000006
【図５】
2012105002.tif 000007
【図６】
2012105002.tif 000008